(57)【特許請求の範囲】
【請求項１】
基端部で互いに固定された第１のアームと第２のアームとを有し、
第１のアームは、基端部より先端部側に弾性体よりなる第１の開閉操作部と、第１の開閉操作部から間隔をおいて先端部側に第１のまつげ狭持部とを備え、
第２のアームは、基端部より先端部側に弾性体よりなる第２の開閉操作部と、第２の開閉操作部から間隔をおいて先端部側に第２のまつげ狭持部とを備え、
第１の開閉操作部と第２の開閉操作部は、間隙を有しつつ互いに対峙し、
第１のアームと第２のアームは、各アームの開閉操作部とまつげ狭持部との間隔領域で互いに交差し、
第１のまつげ狭持部と第２のまつげ狭持部は、第１の開閉操作部と第２の開閉操作部が互いに離れる方向に与えられている開閉操作部の弾性力によって接合し、
第１のまつげ狭持部が、先端部側に向かって二股状となっており、第１のまつげ狭持部と第２のまつげ狭持部が接合されて閉じた状態の時に、第２のまつげ狭持部が、二股状の第１のまつげ狭持部の間隙にはめ込み接合される、まつげカーラー。
【請求項２】
第１のまつげ狭持部と第２のまつげ狭持部が、接合されて閉じた状態のとき、まつ毛の根元に沿うように湾曲した形状である、請求項１に記載のまつげカーラー。
【請求項３】
第１のまつげ狭持部と第２のまつげ狭持部が、接合されて閉じた状態のとき、右目または左目のまつ毛の根元に沿うように湾曲した形状である右目用または左目用まつげカーラーよりなる、請求項１に記載のまつげカーラー。
【請求項４】
請求項１から３のいずれかに記載のまつげカーラーと、このまつげカーラーを脱着可能な加熱器とを有し、前記加熱器は加熱部を備え、前記加熱部は、前記まつげカーラーの前記加熱器への装着時に、まつげ狭持部の近傍に位置する、加熱式まつげカーラーシステム。
【請求項５】
前記加熱器が、前記まつげカーラーのまつげ狭持部を挿入する挿入部を備え、前記挿入部に前記まつげ挟持部を挿入することによって、まつげカーラーを加熱器に装着することが可能な、請求項４に記載の加熱式まつげカーラーシステム。
【発明の詳細な説明】
【技術分野】
【０００１】
本発明は、まつげカーラーおよび加熱式まつげカーラーシステムに関し、さらに詳しくは、まつげに負担をかけにくく、操作性が良く、十分なまつげのカール度合いが得られる、まつげカーラーおよび加熱式まつげカーラーシステムに関する。
【背景技術】
【０００２】
従来のまつげカーラーは、例えば、特許文献１に記載されているように、カール作業時に、開閉操作部が作業者の顔の下側に位置する態様が一般的であり、このようなまつげカーラーは、まつげの狭持部の間にまつげを位置させた後、作業者が開閉操作部に力を加えることにより、まつげの狭持部でまつげを狭持し、強い圧力を加えることでまつげを折り曲げ、カールさせる。
【０００３】
そして、近年、特許文献２および特許文献３に記載されたまつげカーラーのように、カール作業時に、顔の横側（一般的に右利きが多いため右側）に開閉操作部が位置するものが考案されているが、作業者の力でまつげを狭持し、まつげに圧力を加えることによってまつげを折り曲げ、カールさせる態様は上記のまつげカーラーと同様である。
【０００４】
また、特許文献４に記載されているように、過熱されたコームでまつげに熱を加えつつ、まつげを上方に持ち上げる作業を繰り返し、まつげをカールさせるまつげカーラーも普及している。
【先行技術文献】
【特許文献】
【０００５】
【特許文献１】特開平０９−１７３１３０号
【特許文献２】特開２０１２−１５７６８１号
【特許文献３】実登３１９１６９５号
【特許文献４】特開２００８−２３７２７１号
【発明の概要】
【発明が解決しようとする課題】
【０００６】
しかしながら、従来のまつげカーラーは、例えば、特許文献１〜３に記載されているように、作業者が開閉操作部に強い力を加えることで、それに連動してまつげの挟持部でまつげに圧力を加え折り曲げ、まつげをカールさせるため、必要以上に大きな力がまつげに加わってしまうことが多々ある。このため、まつげに負担がかかりやすく、ひどい場合はまつげが抜けてしまうことなどもあった。
【０００７】
そして、作業者はカール時に強い力を加えながら作業する必要があるため、手がぶれてしまい、細かい作業ができず、操作性が悪いという問題もあった。特許文献２および３のまつげカーラーは、作業時に顔の横側に開閉操作部が位置するため、視界が遮られにくく、細かい作業が可能となった点で操作性は向上しているが、強い力を加えながら作業する必要がある問題点は従来と同様である。
【０００８】
一方、特許文献４に記載されているような加熱されたコームでまつげを上げる作業を繰り返す態様のまつげカーラーは、まつげに圧力を加えないためカール力が弱く、十分なカール度合いが得られにくいという問題がある。したがって、結局は、上述のようなまつげカーラーと併用して用いることが多く、作業効率が悪く、また、上述の問題点は解決されないままであった。
【課題を解決するための手段】
【０００９】
そこで、上記課題を解決するため、本発明のまつげカーラーは、基端部で互いに固定された第１のアームと第２のアームを有する。そして、第１のアームは、基端部より先端部側に弾性体よりなる第１の開閉操作部と、第１の開閉操作部から所定の間隔をおいてさらに先端部側に第１のまつげ狭持部とを備える。また、第２のアームは、基端部より先端部側に弾性体よりなる第２の開閉操作部と、第２の開閉操作部から所定の間隔をおいてさらに先端部側に第２のまつげ狭持部とを備える。第１の開閉操作部と第２の開閉操作部は、所定の間隙を有しつつ互いに対峙する。第１のアームと第２のアームは、各アームの開閉操作部とまつげ狭持部との間隔領域で互いに交差する。第１のまつげ狭持部と第２のまつげ狭持部は、第１の開閉操作部と第２の開閉操作部が互いに離れる方向に与えられた開閉操作部の弾性力により接合され、互いに閉じた状態となっている。
【００１０】
また、第１のまつげ狭持部が、先端部側に向かって二股状となっており、第１のまつげ狭持部と第２のまつげ狭持部が接合され閉じた状態の時に、第２のまつげ狭持部が、二股状の第１のまつげ狭持部の間隙にはめ込み接合される。
【００１１】
そして、第１のまつげ狭持部と第２のまつげ狭持部が接合され閉じた状態のとき、まつ毛の根元に沿うように湾曲した形状である態様も好適である。
【００１２】
また、第１のまつげ狭持部と第２のまつげ狭持部が接合され閉じた状態のとき、右目または左目のまつ毛の根元に沿うように湾曲した形状である右目用または左目用まつげカーラーよりなる態様も好適である。
【００１３】
そして、まつげカーラーを脱着可能な加熱器を有し、加熱器は加熱部を備え、加熱部はまつげカーラーを加熱器に装着した時、まつげカーラーのまつげ狭持部の近傍に位置する態様も好適である。
【００１４】
また、加熱器が、まつげカーラーのまつげ狭持部を挿入する挿入部を備え、挿入部にまつげカーラーのまつげ挟持部を挿入することによりまつげカーラーを加熱器に装着可能となっている態様も好適である。
【発明の効果】
【００１５】
本発明により、まつげに不要な力が加わりにくく負担をかけにくいとともに、操作性に優れ、かつ、十分なまつげのカール度合いが得られるまつげカーラーが提供される。
【図面の簡単な説明】
【００１６】
【図１】本発明の一実施例を示す、まつげカーラーの斜視図である。
【図２】図１に記載のまつげカーラーのまつげ狭持部が開いた状態の図である。
【図３】まつげを狭持した状態の図１に記載のまつげカーラーの説明図である。
【図４】（ａ）図２のまつげ狭持部のＹ−Ｙ断面図であり、（ｂ）図１のまつげ狭持部のＸ−Ｘ断面図である。
【図５】本発明の一実施例の加熱式まつげカーラーシステムの斜視図である。
【図６】本発明の他の実施例の加熱式まつげカーラーシステムの説明図である。
【発明を実施するための形態】
【００１７】
以下、本発明の実施の形態を図面に基づいて詳細に説明するが、本発明は下記実施例に限定されるものではない。
図１に示すように、本発明のまつげカーラー１は、基端部２，２’で互いに固定されている第１のアーム３と第２のアーム３’を有する。ここで、固定とは、例えば、金属製よりなる第１のアーム３の基端部２と第２のアーム３’の基端部２’を溶接等により固定する場合などに限られず、例えば、金属性の１本のアームを折り曲げ、この折り曲げ部分を基端部２，２’として、第１のアーム３の基端部２と第２のアーム３’の基端部２’が固定されているような場合も含む。第１のアーム３は、基端部２より先端部４側に第１の開閉操作部５を備えている。また、第２のアーム３’は、基端部２’より先端部４’側に第２の開閉操作部５’を備えている。
【００１８】
第１の開閉操作部５と第２の開閉操作部５’は、間隙を有しつつ互いに対峙している。第１の開閉操作部５と第２の開閉操作部５’は、手の親指と人差し指で挟んで操作することが想定されるため、第１の開閉操作部５と第２の開閉操作部５’の間隙の距離は、このことを考慮した上で、当業者が適宜設計することができる。
図示例では第１の開閉操作部５と第２の開閉操作部５’は、先端部４，４’側に向かうほど互いの距離が離れるように間隙を有しつつ対峙している。つまり、両開閉操作部５，５’は、先端部４，４’側に向かってＶ字状に拡がっている。このように本明細書でいう間隙を有しつつ互いに対峙しているとは、第１の開閉操作部５と第２の開閉操作部５’が互いに平行な状態で対峙している場合に限られない。
【００１９】
開閉操作部５，５’は、金属製や樹脂製などの弾性体よりなっており、作業者が手（一般的に親指と人差し指）でつまみ、力を加えることで互いに接近させることが可能となっている。そして、第１の開閉操作部５と第２の開閉操作部５’は、作業者により力が加えられ接近させられたとき、元の形状に戻ろうとする力が蓄えられ、互いに離れようとする力が強くなる。したがって、作業者が開閉操作部５，５’をつまむ力を緩めると、第１の開閉操作部５と第２の開閉操作部５’は、互いの距離が離れ、元の位置に戻る。
【００２０】
作業者は、第１の開閉操作部５と第２の開閉操作部５’のできるだけ先端部４，４’側に力を加えることで、基端部２，２’近くで力を加える場合と比べて少ない力で第１の開閉操作部５と第２の開閉操作部５’を接近させることができる。開閉操作部５，５’の長さや素材の弾性などを適宜選択することによって、第１の開閉操作部５と第２の開閉操作部５’を接近させるために必要な力や、力を抜いたときに第１の開閉操作部５と第２の開閉操作部５’が離れようとする力をあらかじめ設定しておくことが可能である。
【００２１】
第１のアーム３は、第１の開閉操作部５から間隔をおいて先端部４側に第１のまつげ挟持部６を備えている。また、第２のアーム３’は、第２の開閉操作部５’から間隔をおいて先端部４’側に第２のまつげ挟持部６’を備えている。開閉操作部５，５’とまつげ挟持部６，６’の間隔は、少なくとも第１のアーム３と第２のアーム３’が交差するために必要な長さを有する。
【００２２】
第１のアーム３と第２のアーム３’は、各アームの開閉操作部５，５’とまつげ狭持部６，６’との間隔領域Ｃで互いに交差している。つまり、第１のアーム３は、第１の開閉操作部５と第１のまつげ狭持部６の間で第２のアーム３‘と交差している。また、第２のアーム３’は、第２の開閉操作部５’と第２のまつげ狭持部６’の間で第１のアーム３と交差している。第１のまつげ狭持部６と第２のまつげ狭持部６’は、弾性体である第１の開閉操作部５と第２の開閉操作部５’の互いに離れる方向に与えられている弾性力により、常時は互いに接合し、閉じた状態となっている。各アーム３，３’の開閉操作部５，５’とまつげ狭持部６，６’はそれぞれ連結しているため、また、両アーム３，３’が各開閉操作部５，５’と各まつげ狭持部６，６’の間隔領域Ｃで交差しているため、弾性力による第１の開閉操作部５と第２の開閉操作部５’の互いに離れようとする力は、第１のまつげ狭持部６と第２のまつげ狭持部６’の互いに接近しようとする力に変換され、この接近しようとする力により、第１のまつげ狭持部６と第２のまつげ狭持部６’は、互いに接合されている。したがって、まつげ狭持部６，６’が互いに接合する力、閉じる力、つまりまつげを狭持する力は、開閉操作部５，５’の素材や長さによりあらかじめ設定することが可能である。
【００２３】
本発明のこのような態様により、まつげ狭持部６，６’によりまつげに与える力の最大値があらかじめ設定される。したがって、余分な力をまつげに与えることなく、まつげの損傷を抑えることが可能となる。また、開閉操作部５，５’を構成する弾性体の素材や長さを適宜選択、調整することにより、適度なカール度合いを得るために必要かつ十分な力をまつげに与えることが可能となる。
【００２４】
次に本発明のまつげカーラー１を用いたまつげカール作業の一例を説明する。図２に示すように、第１の開閉操作部５と第２の開閉操作部５’に力が与えられると、第１の開閉操作部５と第２の開閉操作部５’が互いに接近し、これにともない第１のまつげ狭持部６と第２のまつげ狭持部６’は互いに離れ、開いた状態となる。すなわち、作業者が、開閉操作部５，５’を手に持ち、一般的に親指と人差し指で開閉操作部５，５’をつまみ、力を加えて第１の開閉操作部５と第２の開閉操作部５’を互いに接近させることにより、これに連動して、第１のまつげ狭持部６と第２のまつげ狭持部６’が互いに離れ、開いた状態となる。
【００２５】
第１のまつげ狭持部６と第２のまつげ狭持部６’が開いた状態で第１のまつげ狭持部６と第２のまつげ狭持部６’の間にまつげを位置させ、その後、作業者が手の力を抜くと、図３に示すように、第１のまつげ狭持部６と第２のまつげ狭持部６’が互いに接合し、閉じた状態となり、第１のまつげ狭持部６と第２のまつげ狭持部６’の間にまつげが狭持された状態となる。したがって、まつげを狭持しているときに、作業者は、まつげに圧力を与えるための力を加える必要がなく、力を抜いた状態でカール作業を実施できる。そして、前述したとおり、開閉操作部５，５’の素材や長さなどにより、あらかじめまつげ狭持部６，６’が接合する力、つまり、まつげを狭持する力が設定されているため、まつげのカールに十分な力がまつげに加えられる。このように、開閉操作部５，５’は、作業者が、まつげ狭持部６，６’の開閉操作を行う役割を持つとともに、まつげカーラー１本体を保持するための把持部としての役割も持ち、さらにはまつげ挟持部６，６’に開閉操作部５，５’に由来する弾性力による力を与え、まつげに圧力を加える役割も持つ。また、本発明のまつげカーラー１は、カール作業時にまつげ狭持部６，６’を顔の横側からまつげに近づけ位置させ、また、まつげを狭持する際にも、開閉操作部５，５’や作業者の手は顔の横側に位置するため、作業者の視界を遮らない。さらに、作業者が手をひねる操作を行うことにより、まつげのカール度合いの微調整をすることも可能である。
【００２６】
そして、本発明の実施の形態として、図１および図２に示すように、本発明のまつげカーラー１は、第１のまつげ狭持部６を、先端部４側に向かって二股状とし、第１のまつげ狭持部６と第２のまつげ狭持部６’の接合時、つまり閉じた状態のとき、第２のまつげ狭持部６’が二股状となっている第１のまつげ狭持部６の間隙にはめ込まれる構成とすることができる。つまり、第１のまつげ狭持部６を２本歯フォーク状とし、第２のまつげ狭持部６’を１本歯状として、第１のまつげ狭持部６と第２のまつげ狭持部６’が互いに接合し、閉じた状態となるときに、１本歯状の第２のまつげ狭持部６’が、第１のまつげ狭持部６の２本歯フォーク状の歯の間に位置して接合するように設計することができる。
【００２７】
図４（ａ）に示すように、開閉操作部５，５’に力を加え、第１のまつげ狭持部６と第２のまつげ狭持部６’を開いた状態とし、二股状の第１のまつげ狭持部６がまつげの下側に位置し、第２のまつげ狭持部６’がまつげの上側に位置するように、まつげＩを第１のまつげ狭持部６と第２のまつげ狭持部６’の間に位置させた後、開閉操作部５，５’に加えていた力を抜く。すると、図４（ｂ）に示すように、第１のまつげ狭持部６と第２のまつげ狭持部６’が接合し、閉じた状態となり、二股状の第１のまつげ狭持部６が、まつげＩを下から第２のまつげ狭持部６’の形状に沿わせる形となる。
【００２８】
このような構成により、二股状の第１のまつげ狭持部６が、まつげＩを第２のまつげ狭持部６’に沿わせることによって、まつ毛をカールさせるため、まつげに必要以上の圧力が加わることがなく、まつげに負担がかかりにくい。
【００２９】
また、図４（ｂ）に示すように、第２のまつげ狭持部６’の下端部周辺を第１のまつげ狭持部６と接合しない構成とすれば、第２のまつげ狭持部６’の下端部周辺に沿わされたまつげには、第１のまつげ狭持部６と第２のまつげ狭持部６’による挟み圧力がかからない。したがって、第２のまつげ狭持部６’の下端部周辺のカーブを強め（Ｒを小さめ）の形状とすることにより、まつげに負担がかかりにくく、かつ、十分なカールを与えることが可能となる。
【００３０】
そして、第１のまつげ狭持部６と第２のまつげ狭持部６’の接合時の形状、つまり閉じた状態の形状は、まつげの根元に沿うように湾曲していることが好ましい。まつげ狭持部６，６’を平均的な女性のまつ毛の根元に沿うような湾曲形状とすることにより、より多量のまつげを一度の狭持作業で、まつげの根元からカールすることが可能となり、作業効率が向上する。
【００３１】
また、図５に示すように、第１のまつげ狭持部６と第２のまつげ狭持部６’の接合時の形状が、一般的な女性のまつ毛の右目または左目のまつ毛の根元に沿うように湾曲している右目用Ｒまたは左目用Ｌのまつげカーラー１とすることもできる。右目用Ｒのまつげカーラー１は、作業者の顔の右側からまつげ狭持部６，６’を右目のまつげに接近、狭持し、カール作業を行うことが可能である。また、左目用Ｌのまつげカーラー１は、作業者の顔の左側からまつげ狭持部６，６’を左目のまつげに接近、狭持し、カール作業を行うことが可能である。
【００３２】
このような構成により、カール作業の作業効率が向上し、また、右目または左目のまつげの根元に的確にカールを与えることが可能となる。なお、当然、右目用Ｒのまつげカーラー１と左目用Ｌのまつげカーラー１をセットとする構成も可能である。
【００３３】
そして、図５に示すように、本発明のまつげカーラー１は、本発明のまつげカーラー１を脱着可能な別体よりなる加熱器７を有する加熱型まつげカーラーシステムとすることも可能である。この加熱器７は、まつげカーラー１を装着したときに加熱部８がまつげ狭持部６，６’の近傍に位置するように設計されており、まつげ狭持部６，６’を加熱部８により加熱することが可能である。例えば、図５のように、まつげカーラー１を寝かした状態で加熱器７にはめ込む態様が考えられる。
【００３４】
加熱部８の熱源は、例えばセラミックヒーターなどを採用することが可能である。また、電源としては電池に限られず、ＵＳＢ電源などを用いることも考えられる。そして、まつげ狭持部６，６’の過加熱を防止するため、所定の時間が経過すると点灯する安全ランプ部を設けること可能である。これらは、当業者によれば、適宜設計可能な態様で構成することができる。
【００３５】
加熱器７を用いることにより、まつげ狭持部６，６’に熱を与えることが可能となり、加熱されたまつげ狭持部６，６’により、まつげに熱を加えながらカール作業を行うことが可能となる。周知のとおり、まつげに熱を加えつつカールを行うと、熱を加えない場合と比較して、少ない力でカールが可能となる。したがって、本発明のまつげカーラー１と組み合わせることにより、まつげの適切なカール度合いを簡単に得られるため、まつげに対する負担も少なくなる。
【００３６】
また、加熱器７は、まつげカーラー１と別体とされており、まつげカーラー１自体は、加熱部８や電源部などを有せず、軽量かつコンパクトであるため、作業者のカール作業時におけるまつげカーラー１を把持する力が低減され、操作性に優れ、細かな作業が可能となる。
【００３７】
なお、できるだけ長い時間、まつげ狭持部６，６’の温度を維持すべく、まつ毛狭持部の素材を比熱の高い、例えば金属製などにすることが考えられる。そして、さらに、まつげ狭持部６，６’を熱伝導率の低い素材、例えばシリコン樹脂などで覆うことにより、加熱された熱伝導率の高い金属製などよりなる狭持部６，６’が、直接作業者のまぶたに当たることによるやけどや作業者の不快感を低減することが可能となる。
【００３８】
そして、カール作業時にまつげの下側に位置する予定のまつげ狭持部６，６’についてのみ熱伝導率の低い例えばシリコン樹脂などで覆い、上側に位置する予定のまつげ狭持部６，６’については、熱伝導率の高い金属などの素材がむき出しとなった状態とする構成も可能である。まつげをカールさせるためには、まつげの下側よりも上側の方がカーブを強く（Ｒを小さく）する必要がある。したがって、上記構成をとることにより、強いカーブが必要なまつげの上側に、より多くの熱を加え、弱いカーブで十分なまつげの下側には少なめの熱を加えることが可能となり、効率的にきれいなまつげカールを実現可能となる。
【００３９】
つまり、例えば、図４に示すように、二股状の第１のまつげ狭持部６を採用した場合、二股状の第１のまつげ狭持部６をシリコン樹脂Ｓで覆い、第２のまつげ狭持部６’は、比熱の高い金属などの素材がむきだしのままとする。そして、このような第１のまつげ狭持部６と第２のまつげ狭持部６’でまつげを狭持すると、まつげの上側は、二股状の第１のまつげ狭持部６により第２のまつげ狭持部６’に沿わされつつ、まつげの下側よりも多くの熱が与えられる。このような構成により、第２のまつげ狭持部６’の形状に基づいた、きれいなカールを実現することが可能となる。
【００４０】
なお、変形例として、図６に示すような、加熱器７が、まつげ狭持部６，６’を挿入することが可能な挿入部９を有し、加熱部８が挿入部９の周辺に配置されている構成を採用することも可能である。すなわち、まつげカーラー１と別体よりなる加熱器７の筐体内部にまつげ狭持部６，６’を挿入する挿入部９を設けて、まつげカーラー１のまつげ狭持部６，６’を挿入部９に挿入することで、まつげカーラー１を加熱器７に装着可能となる。
【００４１】
本発明のまつげカーラー１は、第１のまつげ狭持部６と第２のまつげ狭持部６’が接合し、閉じた状態であるため、作業者がまつげ狭持部６，６’を挿入部９に挿入するとき、まつげ狭持部６，６’を閉じる作業が必要なく、簡単にまつげカーラー１を加熱器７へ挿入、装着することが可能となる。また、このような態様をとることにより、非常にコンパクトな加熱式のまつげカーラーシステムが実現する。
【符号の説明】
【００４２】
１    まつげカーラー
２    基端部（第１のアーム）
２’  基端部（第２のアーム）
３    第１のアーム
３’  第２のアーム
４    先端部（第１のアーム）
４’  先端部（第２のアーム）
５    第１の開閉操作部
５’  第２の開閉操作部
６    第１のまつげ狭持部
６’  第２のまつげ狭持部
７    加熱器
８    加熱部
９    挿入部
Ｃ    間隔領域
Ｒ    右目用
Ｌ    左目用
【図１】
0006780157.tif 000002
【図２】
0006780157.tif 000003
【図３】
0006780157.tif 000004
【図４】
0006780157.tif 000005
【図５】
0006780157.tif 000006
【図６】
0006780157.tif 000007